(57)【要約】  パフォーマンスのビデオフレームが、ある時点においては遅い方の入力レートで、他の時点においては速い方の入力レートで供給される。遅い方の入力レートでフレームを受信する際には、ビデオディスプレイを、自動的に第１ディスプレイスキャンモードに切り替え、速い方の入力レートでフレームを受信する際には、第２ディスプレイスキャンモードに切り替える。第２ディスプレイスキャンモードは、第１ディスプレイスキャンモードとは異なる。例えば、ディスプレイスキャンモードは、異なるフレームレートを有してもよく、すなわち、第１ディスプレイモードを、プログレッシブとし、第２ディスプレイスキャンモードを、インターレースとしてもよい。
2007528012.tif 000002
【特許請求の範囲】
【請求項１】
ある時点において、パフォーマンスのビデオフレームを、遅い方の入力レートで供給するステップと、
他の時点において、前記パフォーマンスのビデオフレームを、速い方の入力レートで供給するステップと、
前記遅い方の入力レートでフレームを受信する際には、ビデオディスプレイを、第１ディスプレイスキャンモードでフレームを表示するように切り替えるステップと、
前記速い方の入力レートでフレームを受信する際には、前記ビデオディスプレイを、前記第１ディスプレイスキャンモードとは異なる第２ディスプレイスキャンモードでフレームを表示するように切り替えるステップと、
を備えることを特徴とする方法。
【請求項２】
前記遅い方の入力レートは、ビデオパフォーマンスのノーマル再生レートと等しく、前記速い方の再生レートは、ファストモーショントリックモードのためのものである、ことを特徴とする請求項１に記載の方法。
【請求項３】
前記遅い方および速い方の両方の入力レートで受信された前記フレームは、プログレッシブスキャンフォーマットであり、
前記第１ディスプレイスキャンモードは、２５Ｈｚまたは３０Ｈｚのプログレッシブスキャンモードであり、
前記第２ディスプレイスキャンモードは、５０Ｈｚまたは６０Ｈｚのプログレッシブスキャンモードである、ことを特徴とする請求項１に記載の方法。
【請求項４】
前記遅い方および速い方の両方の入力レートで受信された前記フレームは、２Ｘインターレーススキャンフォーマットであり、
前記第１ディスプレイスキャンモードは、５０Ｈｚまたは６０Ｈｚの２Ｘインターレーススキャンモードであり、
前記第２ディスプレイスキャンモードは、１００Ｈｚまたは１２０Ｈｚの２Ｘインターレーススキャンモードである、ことを特徴とする請求項１に記載の方法。
【請求項５】
前記遅い方の入力レートで受信した前記フレームの表示を繰り返し、前記第１ディスプレイスキャンモードで要求されるフレームレートを提供するステップをさらに備える、ことを特徴とする請求項１に記載の方法。
【請求項６】
前記高い方の入力レートで受信した前記フレームのいくつかを省き、前記第２ディスプレイスキャンモードで要求されるフレームレートを提供するステップをさらに備える、ことを特徴とする請求項１に記載の方法。
【請求項７】
速い方の入力レートで受信したフレームを、結合フレームに結合し、前記第２ディスプレイスキャンモードで要求されるフレームレートを提供するステップをさらに備える、ことを特徴とする請求項１に記載の方法。
【請求項８】
前記方法は、前記入力レートを検出するステップと、
前記ディスプレイスキャンモードを前記検出された入力レートに応じて自動的に選択するステップと、をさらに備えることを特徴とする請求項１に記載の方法。
【請求項９】
前記方法は、前記入力レートを変更するユーザ入力コマンドを受信するステップと、
前記入力レートを変更する前記ユーザ入力コマンドに応じて、前記入力レートを変更するステップと、をさらに備えることを特徴とする請求項１に記載の方法。
【請求項１０】
前記方法は、前記入力レートを変更するユーザ入力コマンドを受信するステップと、
前記入力レートを変更する前記ユーザ入力コマンドに応じて、前記ディスプレイスキャンモードを変更するステップと、をさらに備えることを特徴とする請求項１に記載の方法。
【請求項１１】
前記受信したフレームは、制御可能な平均入力レートでビデオフレームを供給するメディアプレイヤーにより供給される、ことを特徴とする請求項１に記載の方法。
【請求項１２】
前記メディアプレイヤーは、ＤＶＤドライブ、デジタルＶＣＲ、および磁気ディスクドライブから選択される、ことを特徴とする請求項１１に記載の方法。
【請求項１３】
前記メディアプレイヤーは、前記平均入力レートを変更するコマンドを供給するためのユーザ入力装置を含む、ことを特徴とする請求項１１に記載の方法。
【請求項１４】
前記ディスプレイは、ＣＲＴであり、前記異なるディスプレイスキャンモードは、プログレッシブスキャン３０Ｈｚモード、プログレッシブスキャン６０Ｈｚモード、２Ｘインターレース６０Ｈｚモード、２Ｘインターレース１２０Ｈｚモード、４Ｘインターレース１２０Ｈｚモード、および４Ｘインターレース２４０Ｈｚモードから選択される、ことを特徴とする請求項１に記載の方法。
【請求項１５】
前記ディスプレイは、ＣＲＴであり、前記異なるディスプレイスキャンモードは、プログレッシブスキャン２５Ｈｚモード、プログレッシブスキャン５０Ｈｚモード、２Ｘインターレース５０Ｈｚモード、２Ｘインターレース１００Ｈｚモード、４Ｘインターレース１００Ｈｚモード、および４Ｘインターレース２００Ｈｚモードから選択される、ことを特徴とする請求項１に記載の方法。
【請求項１６】
ある時点において、ビデオフレームを、遅い方の入力レートで供給するステップと、
前記遅い方の入力レートで受信した前記フレームを、表示するステップと、
他の時点において、ビデオフレームを、高い方の入力レートで供給するステップと、
前記高い方の入力レートで受信した前記フレームを、前記遅い方のフレームレートで結合フレームに結合するステップと、
前記結合フレームを、前記遅い方のフレームレートで表示するステップと、
を備えることを特徴とする方法。
【請求項１７】
プログレッシブスキャンフォーマットを有する複数のフレームが、各フレームのラインのいくつかを互いに結合することによって結合されて、プログレッシブスキャンフォーマットを有する結合フレームを形成する、ことを特徴とする請求項１６に記載の方法。
【請求項１８】
ｎ個のフレームが、前記ｎ個のフレームそれぞれのｎ番目ごとのラインを用いて結合されて、前記結合フレームを形成し、ｎ番目ごとのラインは、各異なるフレームにおいて、異なるラインで始まる、ことを特徴とする請求項１７に記載の方法。
【請求項１９】
１対のフレームが、一方のフレームの奇数ラインを他方のフレームの偶数ラインに結合することにより結合される、ことを特徴とする請求項１８に記載の方法。
【請求項２０】
プログレッシブスキャンフォーマットを有する複数のフレームが、各フレームのラインを省くことにより結合されて、インターレースフォーマットを有する結合フレームを形成する、ことを特徴とする請求項１６に記載の方法。
【請求項２１】
ｎ個のフレームが、各フレームのｎ番目ごとのラインを除いたすべてのラインを省くことにより結合され、ｎ番目ごとのラインは、ｎ個のフレームの各異なるフレームにおいて、異なるライン位置で開始する、ことを特徴とする請求項２０に記載の方法。
【請求項２２】
インターレースフォーマットを有する複数のフレームが、各フレームの１つまたは複数のフィールドを省くことにより結合されて、インターレースフォーマットを有する結合フレームを形成する、ことを特徴とする請求項１６に記載の方法。
【請求項２３】
各フレームからの異なるフィールドが結合されて、前記結合フレームを形成する、ことを特徴とする請求項２２に記載の方法。
【請求項２４】
インターレーススキャンフォーマットを有する複数のフレームが、各フレームのラインを省くことにより結合されて、インターレースフォーマットの結合フレームを形成する、ことを特徴とする請求項１６に記載の方法。
【請求項２５】
ｎ個のフレームが、各フィールドのｎ番目ごとのラインを除いたすべてのラインを省くことにより結合され、ｎ番目ごとのラインは、ｎ個のフレームの各異なるフレームにおいて、異なるライン位置で開始する、ことを特徴とする請求項２４に記載の方法。
【請求項２６】
前記遅い方の入力レートは、前記遅い方のフレームレートと同じフレームレートを有する、ことを特徴とする請求項１６に記載の方法。
【請求項２７】
複数の固定された所定のディスプレイスキャンモードであって、平均フレーム入力レートから独立した対応する表示レートのディスプレイスキャンモードを有し、かつ、少なくとも第１ディスプレイスキャンモードと、前記第１ディスプレイスキャンモードとは実質的に異なる第２ディスプレイスキャンモードとの間で選択可能である、ディスプレイデバイスと、
所定の標準平均入力レートを有するビデオプログラムのビデオフレームのための入力であって、所定の標準平均入力レートは、少なくとも遅い方の平均入力レートと、前記遅い方の入力レートとは実質的に異なる、速い方の平均入力レートとの間で選択可能である、入力と、
前記遅い方の入力レートでフレームを受信する際には、前記第１ディスプレイスキャンモードを選択し、前記速い方の入力レートでフレームを受信する際には、前記第２ディスプレイスキャンモードを選択するための手段と、
を備えることを特徴とするビデオプレイヤー。
【請求項２８】
前記遅い方の入力レートは、ビデオパフォーマンスのノーマル再生レートと等しく、前記速い方の再生レートは、ファストモーショントリックモードのためのものである、ことを特徴とする請求項１８に記載のビデオプレイヤー。
【請求項２９】
前記遅い方および速い方の両方の入力レートで受信された前記フレームは、プログレッシブスキャンフォーマットであり、
前記第１ディスプレイスキャンモードは、２５Ｈｚまたは３０Ｈｚのプログレッシブスキャンモードであり、
前記第２ディスプレイスキャンモードは、５０Ｈｚまたは６０Ｈｚのプログレッシブスキャンモードである、ことを特徴とする請求項１８に記載のビデオプレイヤー。
【請求項３０】
前記遅い方および速い方の両方の入力レートで受信された前記フレームは、２Ｘインターレーススキャンフォーマットであり、
前記第１ディスプレイスキャンモードは、５０Ｈｚまたは６０Ｈｚの２Ｘインターレーススキャンモードであり、
前記第２ディスプレイスキャンモードは、１００Ｈｚまたは１２０Ｈｚの２Ｘインターレーススキャンモードである、ことを特徴とする請求項１８に記載のビデオプレイヤー。
【請求項３１】
前記受信したビデオプレイヤーは、前記遅い方の入力レートで受信したフレームの表示を繰り返し、前記第１ディスプレイスキャンモードで要求されるフレームレートを提供することを含む、前記ビデオフレームを変換するための手段をさらに備える、ことを特徴とする請求項１８に記載のビデオプレイヤー。
【請求項３２】
前記ビデオプレイヤーは、前記高い方の入力レートで受信した前記フレームのいくつかを省き、前記第２ディスプレイスキャンモードで要求されるフレームレートを提供することを含む、前記受信したビデオフレームを変換するための手段をさらに備える、ことを特徴とする請求項１８に記載のビデオプレイヤー。
【請求項３３】
前記ビデオプレイヤーは、速い方の入力レートで受信したフレームを、結合フレームに結合し、前記第２ディスプレイスキャンモードで要求されるフレームレートを提供することを含む、前記受信したビデオフレームを変換するための手段をさらに備える、ことを特徴とする請求項１８に記載のビデオプレイヤー。
【請求項３４】
前記ビデオプレイヤーは、前記入力レートを検出するための手段をさらに備え、
前記選択手段は、前記ディスプレイスキャンモードを前記検出された入力レートに応じて選択する、ことを特徴とする請求項１８に記載のビデオプレイヤー。
【請求項３５】
前記ビデオプレイヤーは、前記入力レートを変更するコマンドを供給するためのユーザ入力と、
前記入力レートを変更する前記ユーザ入力コマンドに応じて、前記入力レートを変更するための手段と、をさらに備える、ことを特徴とする請求項１８に記載のビデオプレイヤー。
【請求項３６】
前記ビデオプレイヤーは、前記入力レートを変更するコマンドを供給するためのユーザ入力と、
前記入力レートを変更する前記ユーザ入力コマンドに応じて、前記ディスプレイスキャンモードを変更するための手段と、をさらに備える、ことを特徴とする請求項１８に記載のビデオプレイヤー。
【請求項３７】
前記ビデオプレイヤーは、制御可能な平均入力レートでビデオプログラムの前記ビデオフレームを供給するためのビデオメディアリーダをさらに備える、ことを特徴とする請求項２９に記載のビデオプレイヤー。
【請求項３８】
前記ビデオメディアリーダプレイヤーは、ＤＶＤドライブ、デジタルＶＣＲ、および磁気ディスクドライブから選択される、ことを特徴とする請求項３０に記載のビデオプレイヤー。
【請求項３９】
前記ビデオメディアプレイヤーは、前記平均入力レートを変更するコマンドを供給するためのユーザ入力を含む、ことを特徴とする請求項３０に記載のビデオプレイヤー。
【請求項４０】
様々な異なる所定のディスプレイスキャンモードのうちの１つで、ビデオフレームを表示するためのビデオディスプレイと、
前記ディスプレイ装置のフレームレートを選択し、複数の異なる所定のディスプレイスキャンモードの中から対応するディスプレイスキャンモードを選択するためのユーザ入力デバイスであって、前記ディスプレイ装置の前記ビデオフレーム表示レートは、前記ディスプレイスキャンモードに依存している、ユーザ入力デバイスと、
前記選択に応じた平均レートでフレームを供給するように、前記選択されたフレームレートを、ビデオソースに送信する、送信器と、
を備えることを特徴とするディスプレイ装置。
【発明の詳細な説明】
【技術分野】
【０００１】
本発明は、トリック再生モードを有するビデオディスプレイの分野に関する。
【背景技術】
【０００２】
近年、複数のスキャンモードを有するＣＲＴモニタが、より普及している。一般的には、少なくとも２つのスキャンモードがある。アメリカでは、一方のスキャンモードは、１秒あたり３０フレーム（６０のインターレースフィールド）を表示するための６０Ｈｚのスキャンレートを有し、他方のモードは、１秒あたり６０フレーム（１２０のインターレースフィールド）を表示するための１２０Ｈｚのスキャンレートを有する。世界の他のほとんどの地域では、スキャンレートは５０Ｈｚおよび１００Ｈｚである。スキャンモードは、通常、モニタの前面にあるボタンを用いて、またはメニューにアクセスして選択される。６０Ｈｚスキャンレートおよびインターレースフレームを有するモードで作動させる場合は、しばしば、特に蛍光灯で明るく照らされた室内で、いくらかのほとんど気付かないフリッカーが生じる。一方、１２０Ｈｚのスキャンレートを有するモードで作動させる場合、明るさ、コントラスト、または色に歪みを生じるおそれがある。これは、ＣＲＴの電子銃を、このような高いスキャンレートに合わせることが困難だからである。このため、二重の６０／１２０モードを有するモニタは、しばしば、速い方のモードよりも、６０Ｈｚモードで作動される。
【０００３】
コンピュータ作業では、６０および１２０Ｈｚのフレーム表示レートが便利である。これは、コンピュータハードウェアが、通常、これらのレートでの表示フレームの供給をサポートするからである。しかしながら、ビデオ表示においては、フレームは必ずしもこれらのレートである必要はない。
【０００４】
ＭＰＥＧビデオ規格は、ノーマルのリアルタイム表示に対するいくつかの標準のフレームレートを規定しており、ノーマルのリアルタイム表示に対するフレームレートを示すフレームレートコードを含んでいる。映画向けには、フレームレートは１秒あたり２４であり、アメリカのテレビジョンでは、フレームレートは、通常、１秒あたり３０（世界の他のほとんどの地域では、２５）である。ＣＲＴなどのディスプレイ装置が、ＭＰＥＧフレームレートよりも高い表示レートを有する場合、デコーダは、単に、いくつかのフレームを省くことができる。より一般的には、ＭＰＥＧフレームレートが、ディスプレイのフレームレートより低いレートである場合、フレームを繰り返すことができ、または連続フレームの間を平均化することにより、追加のフレームを得ることができる。
【０００５】
また、ＶＣＲドライブやＤＶＤドライブなどのビデオソースは、通常、トリック再生速度を提供する。一般的なトリック再生速度は、１／２Ｘ、２Ｘ、４Ｘ、８Ｘおよび１６Ｘなど、ノーマル再生速度のさまざまな倍数での、早送りまたは巻き戻し再生を含む。これらのトリック再生モードは、しばしば、同一のフレーム表示レートを使用し、単にフレームのいくつかを省く、またはフレームのいくつかを繰り返すことにより提供される。例えば、４Ｘ再生では、４番目ごとのフレームのみが表示され、表示される２つの連続フレームのそれぞれの間に、３つのフレームが省かれる。
【０００６】
当業者は、ディスプレイ装置でのトリックモード実施を記載している９９年３月３０日出願の米国特許出願第０９／２８１０１３号（２０００年１０月５日発行の国際特許出願第００／５９２１９号）および２０００年９月２８日発行の国際特許出願第００／５７２４１号を参照することができる。また、当業者は、ビデオフォーマットを１２０Ｈｚの４Ｘインターレースフォーマットに変換することを記載している２００２年６月２８日出願の米国特許出願第１０／１８５，９０５号を参照することができる。これらの引用文献は、参考のために、その全体がここに組み込まれる。
【発明の開示】
【課題を解決するための手段】
【０００７】
本発明において、複数の固定された所定のディスプレイスキャンモードであって、平均フレーム入力レートから独立した対応するフレーム表示レートのディスプレイスキャンモードを有し、かつ、少なくとも第１モードと、第１モードとは実質的に異なる第２モードとの間で選択可能である、ディスプレイ装置が提供される。少なくとも遅い方の平均入力レートと、遅い方の入力レートとは実質的に異なる、速い方の平均入力レートとの間で選択可能な所定の標準平均入力レートを有する、ビデオプログラムのビデオフレームが、供給される。ディスプレイのディスプレイスキャンモードは、速い方の入力レートでフレームを受信する際には、第１モードを選択し、遅い方の入力レートでフレームを受信する際には、第２モードを選択するように選択される。
【０００８】
第１ディスプレイスキャンモードは、高い方のフレームレートを有していてもよく、その利点は、ファストトリック再生モードは、より少ないフレームが省かれる際に、見た目のぎくしゃくさが少ないことである。第１モードは、プログレッシブのディスプレイスキャンモードであってもよく、第２モードは、インターレースのディスプレイスキャンモードであってもよく、ディスプレイ装置は、速いレートのプログレッシブフレームを低い方のフレームレートのインターレースフレームに変換するためのコンバータを有してもよい。
【発明を実施するための最良の形態】
【０００９】
以下の図面の説明では、異なる図での同一の標示は、同様のデバイスを示す。簡便にするために、このようなデバイスは、これらが現れた最初に説明された図との関連においてのみ、詳細に説明される。
【００１０】
図１は、トリックモード再生のために、ディスプレイ装置の入力フレームレートとディスプレイレートモードの間の対応を自動的に提供する、本発明の方法１００の具体的な例を示したフローチャートである。ステップ１０２において、複数の固定された所定のディスプレイスキャンモードであって、平均フレーム入力レートから独立した対応するフレーム表示レートのディスプレイスキャンモードを有し、かつ、少なくとも第１スキャンモードと、第１スキャンモードとは実質的に異なる第２スキャンモードとの間で選択可能である、ディスプレイ装置が提供される。
【００１１】
画素化されたディスプレイのほとんどは、フレーム表示レートを定める画素リフレッシュレートを有する。通常、これらのフレーム表示レートは、所定の固定されたハードウェア依存のレートである。当業者は、このような装置を、自動的に選択可能な複数の異なるフレーム表示レートを提供するように修正することができる。加えて、一般的な既存のマルチモードディスプレイ装置には、マルチモードＣＲＴ、ＬＣＤ、プラズマディスプレイおよびＬＣＯＳプロジェクタがある。これらの装置のディスプレイスキャンモードは、通常、手動で選択可能であるが、当業者は、このような装置を、フレームを供給しているレートの指示に応じてモードを自動的に選択するように修正することができる。例えば、ディスプレイ装置は、フレーム入力レートを自動的に検出することができ、または、ディスプレイ装置は、ビデオソースから、入力レートの変更を示すコマンドを受信することができ、あるいは、ディスプレイ装置は、入力レートを変更するユーザ入力コマンドを受信することができる。
【００１２】
ステップ１０４において、ビデオプログラムのビデオフレームが、供給される。プログラムは、少なくとも、遅い方の平均入力レートと、遅い方の入力レートとは実質的に異なる速い方の平均入力レートとの間で、選択可能な、所定の標準平均入力レートを有する。
【００１３】
ビデオフレームは、ＤＶＤドライブまたはデジタルＶＣＲドライブ、あるいは磁気ディスクドライブ（ハードドライブ）などのビデオソースにより、供給することができる。フレームをディスプレイに供給する所定の平均入力レートを選択するためのユーザ入力デバイスを、提供することができる。ユーザ入力は、例えば、キーボード、リモートコントロール、またはビデオソースの前面パネルのボタンとすることができる。
【００１４】
ステップ１０６において、ディスプレイ装置のモードが、自動的に制御され、速い方の入力レートでフレームを受信する際には、第１モードを選択し、遅い方の入力レートでフレームを受信する際には、第２モードを選択する。
【００１５】
ディスプレイ装置の自動制御は、入力フレームレートを決定するための検出器と、入力フレームレートに応じてディスプレイスキャンモードを変更するためのプロセッサとによって提供してもよい。あるいは、ディスプレイ装置は、選択された入力フレームレートに応じて、ディスプレイスキャンモードを変化させるコマンドを、ビデオフレームのソースから受信してもよい。他の可能性として、ユーザ入力デバイスを提供してもよく、ディスプレイスキャンモードでの動作を選択するコマンドの入力で、入力フレームレートの選択を制御させてもよい。
【００１６】
本発明は、多くの異なる方法で使用することができる。遅い方のフレーム入力レートが、ノーマル再生モードを構成してもよく、速い方の入力レートが、ファストモーションモードを構成してもよい。あるいは、遅い方の入力レートは、スローモーションモードを構成してもよく、速い方の入力レートは、ノーマルのリアルタイム再生を構成してもよい。また、両方の入力レートは、異なるスローモーションモード向けのものであってもよく、あるいは、両方の入力レートは、異なるファストモーションモード向けのものであってもよい。
【００１７】
遅い方または速い方のフレームレートのいずれについても、フレーム入力レートが、フレーム表示レートよりも遅い場合、少なくともいくつかの受信したフレームを、繰り返す必要がある。また、遅い方または速い方のフレームレートのいずれについても、フレーム入力レートがフレーム表示レートよりも高い場合、いくつかのフレームを省く必要がある。
【００１８】
通常、スローモーショントリックモードのための入力レートは、単純に、ノーマルのリアルタイムフレーム入力レートの、整数の分割である（順方向モードには正の整数、および逆方向モードには負の整数）。これは、各フレームを同じ回数繰り返すことができるため、スローモーションの実施を容易にする。同様に、ファストモーショントリック再生モードのための入力レートは、単純に、ノーマルのリアルタイムフレーム入力レートの、整数の倍数である。これは、同じ数のフレームを、表示される各フレームの間で省くことができるため、ファストモーショントリック再生の実施を容易にする。
【００１９】
速い方の入力レートが、遅い方の入力レートよりも２倍速ければ、便利である。それは、ほとんどの現在のマルチモードディスプレイ装置には、一方が他方よりも２倍速い２つのモードがあるからである。
【００２０】
遅い方の表示レートが遅い方の入力レートと等しい場合、すべてのフレームは単純に１度表示され、繰り返されるフレームまたは省かれるフレームがないので、実施が容易となり、ぎくしゃくした動きが最小化される。同様に、速い方の表示レートが速い方の入力レートと等しい場合、すべてのフレームは単純に１度表示され、繰り返されるフレームまたは省かれるフレームがないので、実施が容易となり、ぎくしゃくした動きが最小化される。
【００２１】
例えば、遅い方および速い方の両方の入力レートにおける入力フレームは、第１ディスプレイスキャンモードが２５Ｈｚまたは３０Ｈｚのプログレッシブスキャンモードであり、第２ディスプレイスキャンモードが５０Ｈｚまたは６０Ｈｚのプログレッシブスキャンモードである、プログレッシブスキャンフォーマットで供給してもよい
あるいは、遅い方および速い方の両方の入力レートにおける入力フレームは、第１ディスプレイスキャンモードが５０Ｈｚまたは６０Ｈｚの２Ｘインターレーススキャンモードであり、第２ディスプレイスキャンモードが１００Ｈｚまたは１２０Ｈｚの２Ｘインターレーススキャンモードである、２Ｘインターレーススキャンフォーマットとしてもよい。
【００２２】
図２は、ディスプレイ装置のモードが、ビデオプログラムソースにより提供される平均入力フレームレートに自動的に対応する、本発明のビデオシステム１２０の実施形態の例を示している。この具体的な実施形態の例では、ビデオプログラムソース１２２において、メディアドライブ１２４の平均フレームレートが、ユーザ入力デバイス１２６を用いて選択される。
【００２３】
メディアドライブは、ＤＶＤドライブまたはビデオＣＤドライブなどの、光メディアドライブであってもよく、あるいは、デジタルＶＣＲテープドライブ、またはビデオプログラムを含む磁気ハードディスクドライブであってもよい。メディアドライブは、ビデオフレームを、プログラムに対し、ノーマルのリアルタイム再生レートで、あるいはノーマル再生レートよりも遅いまたは速いトリック再生レートで供給することができる。
【００２４】
ユーザ入力は、ビデオメディアドライブの前面パネルのボタン、またはビデオメディアドライブと通信可能なリモートコントロールであってもよく、あるいは、ユーザ入力は、パーソナルコンピュータおよび／またはホームネットワークを介したビデオメディアドライブと通信するコンピュータキーボードであってもよい。
【００２５】
ビデオプログラムソース１２２は、ディスプレイ装置１３０にフレームを供給する。ディスプレイ装置は、バッファ１３４を介してフレームを受信するマルチモードディスプレイ１３２を含む。プロセッサ１３６が、バッファ１３４の入力フレームレートを検出し、マルチモードディスプレイのディスプレイスキャンモードを、入力フレームレートに応じて自動的に選択する。
【００２６】
マルチモードディスプレイは、例えば、１秒に３０フレームまたは６０フレームのいずれかのレートでフレームを表示することが可能なＣＲＴであってもよい。あるいは、マルチモードディスプレイは、ＬＣＤスクリーン、プラズマディスプレイスクリーンまたはディスプレイプロジェクタであってもよい。
【００２７】
ディスプレイ装置は、フレームが速い平均レートで受信した場合、速い方のレートでフレームを表示し、また、ディスプレイ装置は、フレームが遅い方の平均レートで受信した場合、遅い方のレートでフレームを表示する。例えば、ＭＰＥＧムービーは、１秒あたり２４フレームのノーマル再生入力レートを有する場合があり、このフレームレートに応じて、ディスプレイは、１秒あたり３０フレームのレートでフレームを表示する。受信したフレームより多くのフレームを表示するために、ディスプレイ装置は、時折、フレームのいくつかを２度表示する。バッファ１３４は、フレームを記憶し、これらを遅い方のトリック再生モードにおいて複数回表示させることができる。ビデオプログラムソースが、ノーマル速度の４倍（４Ｘと呼ばれる）（１秒あたり６０フレーム）などのファストモーショントリックモードに移る場合、ディスプレイ装置は、速い方のフレームレートを検出し、動作モードを１秒あたり６０フレームに切り替える。ディスプレイ装置は、時折、ビデオフレームのいくつかを省く必要があるが、連続して２つのフレームを省く必要は、決してない。１秒あたり２４または３０フレームのノーマル表示レートを有するプログラムに関して、１秒あたり６０フレームで動作するディスプレイでは、４Ｘ速度の表示はスムーズに見えるが、１秒あたり３０フレームで動作するディスプレイでは、２Ｘ速度でさえもぎくしゃくして見える。
【００２８】
あるいは、ユーザが、ユーザ入力１２６を介してコマンドを入力し、ファストモーショントリック再生モードを開始した場合、ビデオメディアドライブ１２４は、コマンドをディスプレイ装置に供給し、ディスプレイ装置を自動的に切り替えて、速い方のレートでフレームを表示するモードで動作させる。プロセッサ１３６は、コマンドを受信し、マルチモードディスプレイ１３２のために速い方のレートモードを選択する。この場合、プロセッサ１３６は、入力フレームレートを検出する必要はない。
【００２９】
コンバータ１２８は、ディスプレイ装置に対する要求に応じて、入力フレームを変換する。スローモーショントリック再生モードに対して、コンバータは、フレームを繰り返してもよく、ファストモーショントリック再生モードに対して、コンバータは、フレームを省くか、またはフレームを結合してもよく、これにより、ディスプレイ装置スキャンモードに対して要求されるフレームレートを提供する。コンバータは、例えば、フレームレートを下げるために、プログレッシブスキャン向けにフォーマットされたフレームを、インターレーススキャン向けにフォーマットされたフレームに変換してもよい。コンバータによる変換は、ユーザ入力コマンドによっても制御される。
【００３０】
例えば、プログレッシブスキャンフォーマットを有する複数のフレームを、各フレームのラインのいくつかを互いに結合することによって結合して、プログレッシブスキャンフォーマットを有する結合フレームを形成してもよい。したがって、ｎ個のフレームを、ｎ個のフレームそれぞれのｎ番目ごとのラインを用いて結合して、結合フレームを形成してもよく、ｎ番目ごとのラインは、各異なるフレームにおいて、異なるラインで始まる。例えば、１対のフレームを、一方のフレームの奇数ラインを他方のフレームの偶数ラインと結合することにより結合する。
【００３１】
他の例では、プログレッシブスキャンフォーマットを有する複数のフレームを、各フレームのラインを省くことにより結合し、インターレースフォーマットを有する結合フレームを形成してもよい。したがって、ｎ個のフレームを、各フレームのｎ番目ごとのラインを除いたすべてのラインを省くことにより結合してもよく、ｎ番目ごとのラインは、ｎ個のフレームの各異なるフレームにおいて、異なるライン位置で開始する。
【００３２】
さらに他の例では、インターレースフォーマットを有する複数のフレームを、各フレームの１つまたは複数のフィールドを省くことにより結合して、インターレースフォーマットを有する結合フレームを形成してもよい。例えば、各フレームからの異なるフィールドを結合して、結合フレームを形成することができる。
【００３３】
さらに他の例では、インターレーススキャンフォーマットを有する複数のフレームを、各フレームのラインを省くことにより結合して、インターレースフォーマットの結合フレームを形成してもよい。したがって、ｎ個のフレームを、各フィールドのｎ番目ごとのラインを除いたすべてのラインを省くことにより結合することができ、ｎ番目ごとのラインは、ｎ個のフレームの各異なるフレームにおいて、異なるライン位置で開始する。
【００３４】
図３において、ディスプレイ装置１４２は、ユーザ入力１２６と通信するプロセッサ１４２を含む。ユーザが、ユーザ入力１２６を介してコマンドを入力し、ファストモーショントリック再生モードを選択した場合、プロセッサ１４２は、高い方のフレーム表示レートを有するディスプレイスキャンモードを自動的に選択し、そして、プロセッサは、ビデオプログラムソース１２４に信号を送り、速い方のフレームレートでフレームを自動的に供給する。この場合、コンバータ１２８は、ディスプレイ装置の一部として設けられる。
【００３５】
図４において、ユーザ入力デバイス１５０は、ビデオプログラムソース１２２、コンバータ１２８、およびディスプレイ装置１３０の両方と直接通信する。ユーザが、コマンドを入力し、システムをファストモーショントリック再生モードで動作させた場合、同じコマンドが、自動的に、ビデオプログラムソース１２２に、高い方の入力レートでのフレーム供給を行わせ、ディスプレイ装置１３０を、高い方の表示レートに切り替えさせる。
【００３６】
以上、本発明を、具体的な実施形態の例に関して説明した。当業者は、本発明の範囲内で、これらの実施形態の例を修正する方法を知るであろう。本発明は、添付のクレームによってのみ、限定される。
【図面の簡単な説明】
【００３７】
本発明の追加の態様および利点は、以下の図面を参考にして、以下の詳細な説明により、当業者に容易に明らかとなるであろう。
【図１】図１は、ディスプレイ装置のスキャンモードと入力フレームレートの間の対応を自動的に提供するための本発明の方法を示している。
【図２】図２は、入力フレームレートとディスプレイスキャンモードの間の対応を自動的に提供するための本発明のビデオシステムの例を示している。
【図３】図３は、入力フレームレートとディスプレイスキャンモードの間の対応を自動的に提供するための本発明のビデオシステムの代わりの例を示している。
【図４】図４は、トリックモード再生のために、ディスプレイ装置の入力フレームレートとディスプレイレートモードの間の対応を自動的に提供する本発明のビデオシステムのさらに他の例を示している。
【図１】
2007528012.tif 000003
【図２】
2007528012.tif 000004
【図３】
2007528012.tif 000005
【図４】
2007528012.tif 000006
【国際調査報告】
2007528012.tif 000007
2007528012.tif 000008
2007528012.tif 000009